(57)【要約】【課題】同じ人名、キーワードに関連するコンテンツ毎に録画済みのコンテンツを分類し、コンテンツの分類に用いられた人名、キーワードを表示することができるようにする。【解決手段】録画装置１においては、録画済みの番組全体が、同じ人名、人名以外の同じキーワードに関連する番組毎に分類されて管理される。タイトルや放送日時などの録画済みの番組の情報が並べて表示されるタイトルリストを表示している状態において表示形式の切り替えが指示されたとき、分類に用いられた人名・キーワードが表示される。所定の人名・キーワードが選択され、関連情報を表示することが指示されたとき、選択されている人名・キーワードに関連する関連情報がECGサーバ３から取得され、表示される。本発明は、ハードディスクレコーダなどの録画装置に適用することができる。【選択図】図１
2009059134.tif 000002
【特許請求の範囲】
【請求項１】
録画済みのコンテンツの情報が並べて表示されるタイトルリストを表示している状態において、同じ人名、または人名以外の同じキーワードに関連するコンテンツ毎に、録画済みのコンテンツを分類して表示することが指示されたとき、録画済みのコンテンツの情報の表示に替えて、録画済みのコンテンツの分類に用いられる人名とキーワードのうちの少なくとも一方を並べて表示し、
所定の人名またはキーワードが選択され、関連情報の表示が指示されたとき、選択された前記所定の人名またはキーワードに関連する関連情報を並べて表示する
表示制御手段を備える情報処理装置。
【請求項２】
録画済みのコンテンツを人名とキーワードのうちの少なくとも一方と対応付けて管理する管理手段をさらに備え、
前記表示制御手段は、録画済みのコンテンツを分類して表示することが指示されたとき、前記管理手段により管理されている人名とキーワードのうちの少なくとも一方を並べて表示する
請求項１に記載の情報処理装置。
【請求項３】
ネットワークを介して接続されるサーバから、録画済みのコンテンツに関連する人名とキーワードのうちの少なくとも一方を取得する取得手段をさらに備え、
前記表示制御手段は、録画済みのコンテンツを分類して表示することが指示されたとき、前記取得手段により取得された人名とキーワードのうちの少なくとも一方を並べて表示する
請求項１に記載の情報処理装置。
【請求項４】
選択された前記所定のキーワードに基づいて、ネットワークを介して接続されるサーバから前記関連情報を取得する取得手段をさらに備え、
前記表示制御手段は、前記取得手段により取得された前記関連情報を並べて表示する
請求項１に記載の情報処理装置。
【請求項５】
録画済みのコンテンツの情報が並べて表示されるタイトルリストを表示している状態において、同じ人名、または人名以外の同じキーワードに関連するコンテンツ毎に、録画済みのコンテンツを分類して表示することが指示されたとき、録画済みのコンテンツの情報の表示に替えて、録画済みのコンテンツの分類に用いられる人名とキーワードのうちの少なくとも一方を並べて表示し、
所定の人名またはキーワードが選択され、関連情報の表示が指示されたとき、選択された前記所定の人名またはキーワードに関連する関連情報を並べて表示する
ステップを含む情報処理方法。
【請求項６】
録画済みのコンテンツの情報が並べて表示されるタイトルリストを表示している状態において、同じ人名、または人名以外の同じキーワードに関連するコンテンツ毎に、録画済みのコンテンツを分類して表示することが指示されたとき、録画済みのコンテンツの情報の表示に替えて、録画済みのコンテンツの分類に用いられる人名とキーワードのうちの少なくとも一方を並べて表示し、
所定の人名またはキーワードが選択され、関連情報の表示が指示されたとき、選択された前記所定の人名またはキーワードに関連する関連情報を並べて表示する
ステップを含む処理をコンピュータに実行させるプログラム。
【発明の詳細な説明】
【技術分野】
【０００１】
本発明は、情報処理装置、情報処理方法、およびプログラムに関し、特に、同じ人名、同じキーワードに関連するコンテンツ毎に録画済みのコンテンツを分類し、コンテンツの分類に用いられた人名、キーワードを表示することができるようにした情報処理装置、情報処理方法、およびプログラムに関する。
【背景技術】
【０００２】
近年販売されているハードディスクレコーダなどの録画装置の中には、録画済みの番組のタイトルなどが一覧表示されるタイトルリストが表示されている状態において、ある番組（コンテンツ）が選択されたとき、その番組に関連するキーワードを表示する機能が搭載されているものがある。キーワードとして、例えば、EPG(Electronic Program Guide)データから取得された番組の出演者の名前などが表示される。
【０００３】
ユーザは、１つのキーワードを選択することによって、同じ出演者が出演している番組などの、選択したキーワードが関連する他の番組を録画済みの番組の中から検索することができる。
【特許文献１】特開２００３−１５７２８２号公報
【発明の開示】
【発明が解決しようとする課題】
【０００４】
従来の録画装置に搭載されている機能として、上述したようにタイトルリストから録画済みの番組を選択し、選択した番組に関連するキーワードを表示する機能はあるが、録画済みの番組をキーワードで分類し、キーワードを一覧表示した状態から、番組をユーザに選択させるような機能はない。
【０００５】
本発明はこのような状況に鑑みてなされたものであり、同じ人名、同じキーワードに関連するコンテンツ毎に録画済みのコンテンツを分類し、コンテンツの分類に用いられた人名、キーワードを表示することができるようにするものである。
【課題を解決するための手段】
【０００６】
本発明の一側面の情報処理装置は、録画済みのコンテンツの情報が並べて表示されるタイトルリストを表示している状態において、同じ人名、または人名以外の同じキーワードに関連するコンテンツ毎に、録画済みのコンテンツを分類して表示することが指示されたとき、録画済みのコンテンツの情報の表示に替えて、録画済みのコンテンツの分類に用いられる人名とキーワードのうちの少なくとも一方を並べて表示し、所定の人名またはキーワードが選択され、関連情報の表示が指示されたとき、選択された前記所定の人名またはキーワードに関連する関連情報を並べて表示する表示制御手段を備える。
【０００７】
録画済みのコンテンツを人名とキーワードのうちの少なくとも一方と対応付けて管理する管理手段をさらに設けることができる。この場合、前記表示制御手段には、録画済みのコンテンツを分類して表示することが指示されたとき、前記管理手段により管理されている人名とキーワードのうちの少なくとも一方を並べて表示させることができる。
【０００８】
ネットワークを介して接続されるサーバから、録画済みのコンテンツに関連する人名とキーワードのうちの少なくとも一方を取得する取得手段をさらに設けることができる。この場合、前記表示制御手段には、録画済みのコンテンツを分類して表示することが指示されたとき、前記取得手段により取得された人名とキーワードのうちの少なくとも一方を並べて表示させることができる。
【０００９】
選択された前記所定のキーワードに基づいて、ネットワークを介して接続されるサーバから前記関連情報を取得する取得手段をさらに設けることができる。この場合、前記表示制御手段には、前記取得手段により取得された前記関連情報を並べて表示させることができる。
【００１０】
本発明の一側面の情報処理方法またはプログラムは、録画済みのコンテンツの情報が並べて表示されるタイトルリストを表示している状態において、同じ人名、または人名以外の同じキーワードに関連するコンテンツ毎に、録画済みのコンテンツを分類して表示することが指示されたとき、録画済みのコンテンツの情報の表示に替えて、録画済みのコンテンツの分類に用いられる人名とキーワードのうちの少なくとも一方を並べて表示し、所定の人名またはキーワードが選択され、関連情報の表示が指示されたとき、選択された前記所定の人名またはキーワードに関連する関連情報を並べて表示するステップを含む。
【００１１】
本発明の一側面においては、録画済みのコンテンツの情報が並べて表示されるタイトルリストを表示している状態において、同じ人名、または人名以外の同じキーワードに関連するコンテンツ毎に、録画済みのコンテンツを分類して表示することが指示されたとき、録画済みのコンテンツの情報の表示に替えて、録画済みのコンテンツの分類に用いられる人名とキーワードのうちの少なくとも一方が並べて表示され、所定の人名またはキーワードが選択され、関連情報の表示が指示されたとき、選択された前記所定の人名またはキーワードに関連する関連情報が並べて表示される。
【発明の効果】
【００１２】
本発明の一側面によれば、同じ人名、同じキーワードに関連するコンテンツ毎に録画済みのコンテンツを分類し、コンテンツの分類に用いられた人名、キーワードを表示することができる。
【発明を実施するための最良の形態】
【００１３】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１４】
本発明の一側面の情報処理装置（例えば、図１の録画装置１）は、録画済みのコンテンツの情報が並べて表示されるタイトルリストを表示している状態において、同じ人名、または人名以外の同じキーワードに関連するコンテンツ毎に、録画済みのコンテンツを分類して表示することが指示されたとき、録画済みのコンテンツの情報の表示に替えて、録画済みのコンテンツの分類に用いられる人名とキーワードのうちの少なくとも一方を並べて表示し、所定の人名またはキーワードが選択され、関連情報の表示が指示されたとき、選択された前記所定の人名またはキーワードに関連する関連情報を並べて表示する表示制御手段（例えば、図８の表示制御部１２４）を備える。
【００１５】
この情報処理装置には、録画済みのコンテンツを人名とキーワードのうちの少なくとも一方と対応付けて管理する管理手段（例えば、図８の人名・キーワードリスト管理部１２２）をさらに設けることができる。
【００１６】
また、ネットワークを介して接続されるサーバから、録画済みのコンテンツに関連する人名とキーワードのうちの少なくとも一方を取得する取得手段（例えば、図８の人名・キーワード取得部１２１）をさらに設けることができる。
【００１７】
さらに、選択された前記所定のキーワードに基づいて、ネットワークを介して接続されるサーバから前記関連情報を取得する取得手段（例えば、図８の関連情報取得部１２３）をさらに設けることができる。
【００１８】
本発明の一側面の情報処理方法またはプログラムは、録画済みのコンテンツの情報が並べて表示されるタイトルリストを表示している状態において、同じ人名、または人名以外の同じキーワードに関連するコンテンツ毎に、録画済みのコンテンツを分類して表示することが指示されたとき、録画済みのコンテンツの情報の表示に替えて、録画済みのコンテンツの分類に用いられる人名とキーワードのうちの少なくとも一方を並べて表示し、所定の人名またはキーワードが選択され、関連情報の表示が指示されたとき、選択された前記所定の人名またはキーワードに関連する関連情報を並べて表示するステップ（例えば、図１５のステップＳ２８）を含む。
【００１９】
以下、本発明の実施の形態について図を参照して説明する。
【００２０】
図１は、本発明の一実施形態に係る録画装置１を含む通信システムの構成例を示す図である。
【００２１】
図１に示されるように、録画装置１にはテレビジョン受像機２がケーブルを介して接続され、また、ECG(Electronic Contents Guide)サーバ３がネットワーク４を介して接続される。
【００２２】
録画装置１はハードディスクを内蔵するデジタル録画機器であり、BS(Broadcasting Satellite)／CS(Communications Satellite)デジタル放送、地上デジタル放送、またはインターネットを介して行われる放送によって提供される番組の映像や音声をテレビジョン受像機２から出力させたり、番組のデータをハードディスクに記憶させ、録画を行ったりする。すなわち、録画装置１には、図示せぬアンテナからの信号などが供給されるようになされている。録画装置１は、録画済みの番組をユーザによる指示に応じて再生し、番組の映像や音声をテレビジョン受像機２から出力させる。
【００２３】
また、録画装置１は、放送波やインターネットを介して放送局などによって配信されるEPGデータを取得し、管理する。EPGデータには、それぞれの番組について、番組のタイトル、放送日時、ジャンル、出演者などの番組に関する情報が含まれる。
【００２４】
録画装置１は、録画済みの番組を同じ人名、人名以外の同じキーワードに関連する番組毎に分類して管理し、タイトルや放送日時などの録画済みの番組の情報が並べて表示されるタイトルリストを表示している状態において表示形式の切り替えがユーザにより指示されたとき、録画済みの番組の情報の表示に替えて、分類に用いられた人名・キーワードを並べて表示する機能を有する。
【００２５】
表示形式の切り替えを含む各種の操作はリモートコントローラなどを用いて行われる。リモートコントローラには、表示形式の切り替えに用いられるビュー切り替えボタンの他に、注目する対象を切り替えるときに操作される十字キー、カーソルで選択している対象を決定するときに操作される決定ボタン、タイトルリストから選択された番組を対象として行うことができる操作のメニュー（オプションメニュー）を表示するときに操作されるオプションボタンなどの各種のボタンが設けられる。
【００２６】
例えば、録画済みの番組の情報に替えて表示された人名・キーワードの中から所定の人名・キーワードが選択され、決定ボタンが押されたとき、選択されている人名・キーワードを用いて分類されている録画済みの番組のタイトルなどが並べて表示される。ユーザは、表示されたタイトルを見て、視聴したりする番組を選択することができる。すなわち、ユーザは、自分の興味のある内容に関する人名・キーワードによって分類された番組の中から、視聴したりする番組を探すことができる。
【００２７】
また、録画済みの番組の情報に替えて表示された人名・キーワードの中から所定の人名・キーワードが選択され、オプションボタンが押されたとき、オプションメニューが表示され、そこには、関連情報を表示するときに選択される項目が用意される。ユーザは、関連情報の項目を選択し、決定ボタンを押すことによって、選択している人名・キーワードの関連情報をECGサーバ３から取得させることができ、関連情報を確認することができる。例えば、Webサイトの情報、EC(Electronic Commerce)サイトの情報、静止画などが関連情報としてECGサーバ３から取得される。
【００２８】
ECGサーバ３においては、このような関連情報が人名・キーワードに対応付けて管理されている。人名・キーワードと関連情報の対応付けは例えばECGサーバ３の管理者により手動で行われ、ECGサーバ３により管理されている。
【００２９】
また、ECGサーバ３においては、放送済みの、または放送予定の番組自体、それらの番組の情報も人名・キーワードに対応付けて管理されている。例えば、放送済みの、または放送予定の番組にはIDがそれぞれ設定されており、ECGサーバ３においては、IDを含む録画装置１からの問い合わせに応じて、同じIDが設定されている番組の人名・キーワードを取得し、録画装置１に提供することができるようになされている。
【００３０】
このように、ユーザは、同じ人名・キーワードに関連する番組毎に録画済みの番組を分類させ、分類に用いられた人名・キーワードを表示させることができる。また、ユーザは、所定の人名・キーワードを選択することによって、選択した人名・キーワードに関連する番組の情報を表示させることができる。
【００３１】
ここで、録画装置１によりテレビジョン受像機２に表示される画面の例について説明する。
【００３２】
図２は、メニュー画面の例を示す図である。
【００３３】
図２に示されるようなメニュー画面が、例えば、リモートコントローラに設けられるホームキーがユーザにより押されたときに表示される。この画面から、ユーザは、放送波の選択や、選択した放送波で放送される番組の選択の他、録画装置１の各種の機能を選択することができる。なお、図２に示す点線は説明の便宜上付しているものであり、メニュー画面に実際に表示されるものではない。
【００３４】
メニュー画面は、複数のカテゴリアイコンが一列に並ぶカテゴリアイコン配列Ｒ１と、カテゴリアイコン配列Ｒ１の中から選択されたカテゴリに属する項目を表す項目アイコンが一列に並ぶ項目アイコン配列Ｒ２が、画面中央を基準として若干左上の位置で交差することによって構成される。
【００３５】
図２に示されるように、例えば、カテゴリアイコン配列Ｒ１はテレビジョン受像機２の水平方向（横方向）に表示され、項目アイコン配列Ｒ２は、カテゴリアイコン配列Ｒ１の配列方向と直交する方向である垂直方向（縦方向）に表示される。
【００３６】
カテゴリアイコン配列Ｒ１として、図２の例においては、フォトカテゴリを表すフォトアイコン１１、ミュージックカテゴリを表すミュージックアイコン１２、ビデオカテゴリを表すビデオアイコン１３、地上波放送カテゴリを表す地上波放送アイコン１４、BS放送カテゴリを表すBS放送アイコン１５、CS放送カテゴリを表すCS放送アイコン１６、外部入力カテゴリを表す外部入力アイコン１７が表示されている。
【００３７】
また、図２の例においては、水平方向に配列して表示されるカテゴリアイコンの中からビデオアイコン１３が選択されており、この選択中のビデオアイコン１３が、他のカテゴリアイコンよりも若干大きく表示されている。ビデオアイコン１３の下には、ビデオカテゴリが選択されていることを表す「ビデオ」の文字が表示されている。
【００３８】
また、図２の例においては、ユーザにより選択されているビデオカテゴリに属する項目として、録画済みの番組の代表画である画像２１乃至２５が表示されている。画像２１乃至２５は番組の録画時にEPGデータから取得されたものであり、番組のタイトル、放送時間、チャンネル番号などの情報とともに、番組のデータと対応付けて管理されている。図２の例においては、画像２１乃至２５のうちの画像２２がカーソルＣ1により囲まれ、画像２２を代表画とする番組が選択された状態とされている。
【００３９】
ビデオカテゴリは、録画済みの番組を扱う操作に関するカテゴリである。ユーザは、このビデオカテゴリを選択し、タイトルリストの中から所定の番組を選択することによって、録画済みの番組の視聴を開始するなどの各種の操作を行うことができる。
【００４０】
このようなメニュー画面において、ユーザは、基本的に、リモートコントローラに設けられる十字キーの横方向の操作（左右のボタン）でカテゴリを選択することができ、縦方向の操作（上下のボタン）で、選択しているカテゴリに属する項目を選択することができる。
【００４１】
ユーザによる横方向の操作に応じて、カテゴリアイコン配列Ｒ１を構成するカテゴリアイコン全体がまとめて移動して表示される。また、ユーザによる縦方向の操作に応じて、項目アイコン配列Ｒ２を構成する項目アイコン全体がまとめて移動して表示される。
【００４２】
例えば、ビデオカテゴリを選択している図２の状態で、ユーザが左ボタンを１回だけ押したとき、カテゴリアイコン配列Ｒ１を構成するカテゴリアイコン全体が右方向に移動し、いまビデオアイコン１３が表示されている位置にミュージックアイコン１２が表示され、ミュージックアイコン１２が表示されている位置にフォトアイコン１１が表示される。フォトアイコン１１が表示されている位置には、カテゴリアイコン配列Ｒ１上でフォトアイコン１１の左隣に配置される、図２の状態では表示されていないアイコンが新たに表示される。
【００４３】
同様に、地上波放送アイコン１４が表示されている位置にビデオアイコン１３が表示され、BS放送アイコン１５が表示されている位置に地上波放送アイコン１４が表示され、CS放送アイコン１６が表示されている位置にBS放送アイコン１５が表示される。外部入力アイコン１７が表示されている位置にはCS放送アイコン１６が表示され、図２において右端に表示されている外部入力アイコン１７は表示されなくなる。
【００４４】
これにより、ビデオカテゴリに替えてミュージックカテゴリが選択された状態になり、ミュージックカテゴリに属する音楽コンテンツを表す画像が縦方向に並べて表示される。
【００４５】
一方、図２の状態でユーザが右ボタンを１回だけ押したとき、左ボタンを押したときと反対に、カテゴリアイコン配列Ｒ１を構成するカテゴリアイコン全体が左方向に移動し、地上波放送カテゴリが選択された状態になる。また、地上波放送カテゴリに属する項目を表す項目アイコンが縦方向に並べて表示される。
【００４６】
また、図２の状態でユーザが下ボタンを１回だけ押したとき、項目アイコン配列Ｒ２を構成する画像全体が上方向に移動し、画像２１は表示されなくなり、画像２２は、いま画像２１が表示されている位置に表示される。
【００４７】
また、画像２２が表示されている位置には画像２３が表示され、画像２２に替えて、画像２３がカーソルＣ1で囲まれた状態になる。画像２３が表示されている位置には画像２４が表示され、画像２４が表示されている位置には画像２５が表示される。画像２５が表示されている位置には、画像２５の下に配置される、図２の状態では表示されていない画像が新たに表示される。
【００４８】
図２の状態でユーザが上ボタンを１回だけ押したとき、下ボタンを押したときと反対に、項目アイコン配列Ｒ２を構成する画像全体が下方向に移動し、画像２５は表示されなくなり、画像２４は、いま画像２５が表示されている位置に表示される。
【００４９】
また、画像２４が表示されている位置には画像２３が表示され、画像２３が表示されている位置には画像２２が表示される。画像２２が表示されている位置には画像２１が表示され、画像２２に替えて、画像２１がカーソルＣ1で囲まれた状態になる。画像２１が表示されている位置には、画像２１の上に配置される、図２の状態では表示されていない画像が新たに表示される。
【００５０】
ある画像がカーソルＣ1によって選択された状態で所定の時間が経過したとき、カーソルＣ1の右隣には、カーソルＣ1によって選択されている画像を代表画とする録画済みの番組のタイトル、放送日時、チャンネルなどの情報が表示される。
【００５１】
録画済みの番組の情報が表示されるタイトルリストにおいてリモートコントローラに設けられるビュー切り替えボタンが押され、表示形式を分類表示に切り替えることが指示されたとき、タイトルリストの表示形式が切り替えられる。
【００５２】
図３は、表示形式を分類表示とした場合のタイトルリストの表示例を示す図である。図２と同じ表示には同じ符号を付してある。重複する説明については適宜省略する。
【００５３】
ビュー切り替えボタンが押されたとき、録画装置１においては、同じ人名・キーワードに関連する番組毎に録画済みの番組が分類され、その分類に用いられている人名・キーワードが並べて表示される。録画済みのそれぞれの番組には、録画が完了したタイミングなどの所定のタイミングで人名・キーワードが対応付けて管理されている。
【００５４】
図３の例においては、ビデオカテゴリに属する項目として、人名による分類を表すアイコン４１乃至４５が表示されている。アイコン４１の右隣には、分類に用いられた人名である「明石さとる」と、「明石さとる」の人名によって分類された録画済みの番組が４つあることを表す「タイトル数：４」が表示されている。
【００５５】
アイコン４２乃至４５についても同様に、分類に用いられた人名を表す「関田知一」、「タムラ」、「ジョン・バーグ」、「みたもんた」と、分類された録画済みの番組の数がそれぞれのアイコンの右隣に表示されている。図３の例においては、アイコン４２がカーソルＣ1によって囲まれており、「関田知一」の分類が選択された状態とされている。
【００５６】
「明石さとる」、「関田知一」、「タムラ」、「ジョン・バーグ」、「みたもんた」以外の人名によっても録画済みの番組は分類されており、それぞれの分類を表すアイコンの表示が上述したようにして十字キーの上ボタン、下ボタンの操作で切り替えられる。
【００５７】
なお、２つ以上などの、所定の数以上の録画済みの番組の分類に用いられている人名・キーワードだけが表示されるようにしてもよい。これにより、多くの番組を分類するのに用いられている重要な人名・キーワードだけが表示されることになり、全ての人名・キーワードが表示される場合に較べて、番組選択の起点となる人名・キーワードをユーザが容易に選択することが可能になる。
【００５８】
図４は、「関田知一」の分類が選択された図３の状態で決定ボタンが１回だけ押されたときに表示されるタイトルリストの例を示す図である。
【００５９】
図３の状態で決定ボタンが押されたとき、図４に示されるように、カテゴリアイコンの表示はビデオアイコン１３を除いて消され、ビデオカテゴリに属する項目を表すアイコンの表示も、アイコン４２を除いて消された状態になる。
【００６０】
ビデオアイコン１３とアイコン４２の表示位置は画面の左側にずれた位置となり、アイコン４２の右側に、縦方向に並べて、「関田知一」の人名によって分類された録画済みの番組の代表画である画像６１乃至６５が表示される。この例においては「関田知一」の人名によって分類された録画済みの番組の数は１０個であるから（図３）、１０個の画像が縦方向に配置され、それらの画像の表示が上ボタン、下ボタンの操作で切り替えられる。
【００６１】
図４の例においては、画像６１乃至６５の右隣には、画像６１乃至６５をそれぞれ代表画とする番組のタイトル、放送日時、チャンネル番号などの情報が表示されている。また、画像６１乃至６５のうち、画像６３がカーソルＣ2によって囲まれており、画像６３を代表画とする番組が選択された状態とされている。
【００６２】
ユーザは、図４のタイトルリストから「関田知一」の人名によって分類された１つの番組を選択することによって、選択した番組の再生を開始させることができる。
【００６３】
図５は、「関田知一」の分類が選択された図３の状態で、決定ボタンではなく、オプションボタンが１回だけ押されたときに表示されるタイトルリストの例を示す図である。
【００６４】
図３の状態でオプションボタンが押されたとき、図５に示されるように、カテゴリアイコンに重ねて、画面の右端にオプションメニューＭが表示される。図５の例においては、「関田知一」の人名によって分類された番組を対象として行うことができる操作として、「タイトルリスト」、「タイトル選択消去」、「DISCへダビング」、「おでかけ転送」、「情報／設定」、「関連情報」の項目がオプションメニューＭに表示されている。
【００６５】
例えば、「情報／設定」は、「関田知一」の分類の情報を表示するときに選択される項目であり、「関連情報」は、「関田知一」の関連情報を表示するときに選択される項目である。ユーザは、オプションメニューＭ上に表示されるカーソルＣ3を移動させ、所定の項目を選択することができる。
【００６６】
図６は、図５のオプションメニューＭから「関連情報」の項目が選択されたときに表示されるタイトルリストの例を示す図である。
【００６７】
「関連情報」の項目が選択されたとき、図６に示されるように、カテゴリアイコンの表示はビデオアイコン１３を除いて消され、ビデオカテゴリに属する項目を表すアイコンの表示も、アイコン４２を除いて消された状態になる。ビデオアイコン１３とアイコン４２の表示位置は画面の左側にずれた位置となり、アイコン４２の右側に、縦方向に並べて、「関田知一」の関連情報を表す画像である画像７１乃至７５が表示される。
【００６８】
すなわち、オプションメニューＭから「関連情報」の項目が選択されたとき、録画装置１においては、いま選択されている人名である「関田知一」の関連情報の問い合わせがECGサーバ３に対して行われる。また、問い合わせに応じてECGサーバ３から送信されてきた関連情報が受信され、受信された情報に基づいて、図６に示されるように関連情報が並べて表示される。
【００６９】
図６の例において、画像７１は「関田知一」の情報が掲載されたWebサイトを表す画像であり、右隣には、関連情報の種類がWebサイトであることを表す「LINK」の文字と、Webサイトの名前である「関田知一オフィシャルサイト」の文字が表示されている。
【００７０】
また、画像７２は「関田知一」が出演していた既に放送済みの番組、または出演しているまだ放送されていない番組である「世界の列車の旅」を表す静止画であり、右隣には、関連情報の種類が静止画であることを表す「PIC」の文字と、静止画の名前である「世界の列車の旅での写真」の文字が表示されている。
【００７１】
画像７３は「関田知一」が出演していた既に放送済みの番組、または出演しているまだ放送されていない番組である「ドイツ列車の旅」の情報が掲載されたWebサイトを表す画像であり、右隣には、関連情報の種類がWebサイトであることを表す「LINK」の文字と、Webサイトの名前である「ドイツ列車の旅番組サイト」の文字が表示されている。図６の例においては、画像７３がカーソルＣ4によって囲まれており、「ドイツ列車の旅」の情報が掲載されたWebサイトが選択された状態とされている。
【００７２】
画像７４は「関田知一」が出演していた既に放送済みの番組、または出演しているまだ放送されていない番組などで扱われた「中国３６０００km関連グッズ」の販売を行っているECサイトを表す画像であり、右隣には、関連情報の種類がECサイトであることを表す「店」の文字と、ECサイトの名前である「中国３６０００km関連グッズ紹介」の文字が表示されている。
【００７３】
画像７５は「関田知一」が出演していた既に放送済みの番組、または出演しているまだ放送されていない番組である「関田知一の世界の窓」を表す静止画であり、右隣には、関連情報の種類が静止画であることを表す「PIC」の文字と、静止画の名前である「関田知一の世界の窓の写真」の文字が表示されている。
【００７４】
ユーザは、図６のタイトルリストにおいて、カーソルＣ4によって所定の関連情報を選択し、所定の操作を行うことによって関連情報の詳細を見ることができる。
【００７５】
例えば、画像７１によって表される「関田知一オフィシャルサイト」の関連情報が選択され、所定の操作が行われた場合、Webブラウザが起動し、テレビジョン受像機２には、タイトルリストに替えて「関田知一オフィシャルサイト」の画面が表示される。「関田知一オフィシャルサイト」の関連情報には、そのWebサイトにアクセスするためのURL(Uniform Resource Locator)なども含まれている。
【００７６】
また、画像７２によって表される「世界の列車の旅での写真」の関連情報が選択され、所定の操作が行われた場合、静止画のビューワーアプリケーションが起動し、テレビジョン受像機２には、タイトルリストに替えて「世界の列車の旅での写真」が表示される。
【００７７】
このように、ユーザは、人名・キーワードを用いて録画済みの番組を分類させるだけでなく、人名・キーワードに基づいてECGサーバ３から取得された関連情報の一覧を表示させることができる。
【００７８】
以上のようにしてタイトルリストの表示を切り替える録画装置１の処理についてはフローチャートを参照して後述する。
【００７９】
図７は、録画装置１のハードウエア構成例を示すブロック図である。
【００８０】
CPU(Central Processing Unit)１０１は、ROM(Read Only Memory)１０２、または記憶部１０９に記憶されているプログラムに従って各種の処理を実行する。RAM(Random Access Memory)１０３には、CPU１０１が実行するプログラムやデータなどが適宜記憶される。これらのCPU１０１、ROM１０２、およびRAM１０３は、バス１０４により相互に接続されている。
【００８１】
CPU１０１にはまた、バス１０４を介して入出力インタフェース１０５が接続されている。入出力インタフェース１０５には、受信部１０６、入力部１０７、出力部１０８、記憶部１０９、通信部１１０、およびドライブ１１１が接続されている。
【００８２】
受信部１０６は、アンテナ１０６Ａからの放送波信号を受信、復調し、MPEG-TS(Moving Picture Experts Group-Transport Stream)を取得する。受信部１０６は、録画の対象になっている番組のデータやEPGデータをMPEG-TSから取得し、取得したデータを入出力インタフェース１０５を介して記憶部１０９に出力する。
【００８３】
入力部１０７は、リモートコントローラからの信号を受信し、ユーザの操作の内容を表す情報を入出力インタフェース１０５、バス１０４を介してCPU１０１に出力する。
【００８４】
出力部１０８は、再生が指示された番組のデータをデコードし、得られた映像信号と音声信号に基づいて、番組の映像と音声をテレビジョン受像機２に表示させる。
【００８５】
記憶部１０９は例えばハードディスクからなり、CPU１０１が実行するプログラムや、入出力インタフェース１０５を介して受信部１０６から供給された番組、EPGデータなどの各種のデータを記憶する。
【００８６】
通信部１１０は、サーバと通信を行い、インターネットを介して行われる放送によって配信される番組のデータや、サーバが配信するEPGデータを取得する。通信部１１０は、取得したデータを入出力インタフェース１０５を介して記憶部１０９に出力し、記憶させる。また、通信部１１０は、ECGサーバ３とネットワーク４を介して通信を行い、関連情報の問い合わせを行ったり、問い合わせに応じてECGサーバ３から送信されてきた関連情報を受信したりする。
【００８７】
ドライブ１１１は、光ディスクなどのリムーバブルメディア１１２に録画済みの番組をダビングしたり、リムーバブルメディア１１２に記憶されているプログラムやデータを取得したりする。取得されたプログラムやデータは、必要に応じて記憶部１０９に転送され、記憶される。
【００８８】
図８は、録画装置１の機能構成例を示すブロック図である。図８に示す機能部のうちの少なくとも一部は、図７のCPU１０１により所定のプログラムが実行されることによって実現される。
【００８９】
図８に示されるように、録画装置１においては、人名・キーワード取得部１２１、人名・キーワードリスト管理部１２２、関連情報取得部１２３、および表示制御部１２４が実現される。
【００９０】
人名・キーワード取得部１２１は、番組の録画が完了したとき、録画が完了した番組に関連する人名・キーワードを取得する。例えば、人名・キーワード取得部１２１は、記憶部１０９に記憶されているEPGデータに含まれる、録画が完了した番組の情報から人名・キーワードを抽出することによって取得したり、録画が完了した番組のIDをECGサーバ３に通知し、同じIDが設定されている番組の人名・キーワードを取得したりする。人名・キーワード取得部１２１は、取得した人名・キーワードを人名・キーワードリスト管理部１２２に出力する。
【００９１】
人名・キーワードリスト管理部１２２は、録画済みの番組の人名・キーワードが登録された人名・キーワードリストを記憶部１０９に記憶させて管理する。人名・キーワードリストにおいては、人名・キーワード毎に、録画済みの番組が対応付けて管理される。人名・キーワードリスト管理部１２２は、人名・キーワード取得部１２１により取得された人名・キーワードを人名・キーワードリストに適宜登録する。
【００９２】
関連情報取得部１２３は、所定の人名・キーワードが選択され、関連情報の表示がユーザにより指示された場合、ユーザにより選択されている人名・キーワードを通信部１１０を制御してECGサーバ３に通知し、関連情報の問い合わせを行う。入力部１０７からは、ユーザの操作の内容を表す情報が供給される。
【００９３】
また、関連情報取得部１２３は、問い合わせに応じてECGサーバ３から送信されてきた関連情報を受信し、受信した関連情報を表示制御部１２４に出力する。
【００９４】
表示制御部１２４は、出力部１０８を制御し、タイトルリストの表示をユーザによる操作に応じて切り替える。例えば、表示制御部１２４は、記憶部１０９に記憶されている録画済みの番組の情報を読み出し、読み出した情報を並べて表示させることによってタイトルリストを表示させる。
【００９５】
また、表示制御部１２４は、表示形式の切り替えが指示されたとき、人名・キーワードリスト管理部１２２により管理されている人名・キーワードリストを記憶部１０９から読み出し、読み出した人名・キーワードリストに登録されている人名・キーワードを並べてタイトルリストに表示させる。
【００９６】
ここで、以上のような構成を有する録画装置１の処理について説明する。
【００９７】
はじめに、図９のフローチャートを参照して、人名・キーワードリストを管理する録画装置１の処理について説明する。
【００９８】
この処理は、録画の対象になっている番組の放送が終了したときに開始される。番組の放送が行われている間、受信部１０６により取得された番組のデータは入出力インタフェース１０５を介して記憶部１０９に供給され、記憶される。
【００９９】
ステップＳ１において、受信部１０６は、放送が終了することに応じて番組の録画を完了させる。
【０１００】
ステップＳ２において、人名・キーワード取得部１２１は、記憶部１０９に記憶されているEPGデータから抽出することによって、または、ECGサーバ３に問い合わせることによって、録画が完了した番組の人名・キーワードを取得する。人名・キーワード取得部１２１は、取得した人名・キーワードを人名・キーワードリスト管理部１２２に出力する。
【０１０１】
ステップＳ３において、人名・キーワードリスト管理部１２２は、記憶部１０９に記憶させて管理している人名・キーワードリストを記憶部１０９から読み出し、取得する。
【０１０２】
記憶部１０９に記憶されている人名・キーワードリストではなく、ECGサーバ３において人名・キーワードリストが作成され、その作成された人名・キーワードリストが人名・キーワードリスト管理部１２２により取得されるようにしてもよい。この場合、例えば、全ての録画済みの番組のIDを含む要求が録画装置１からECGサーバ３に送信され、ECGサーバ３において、録画装置１から送信されてきた要求に含まれるそれぞれのIDによって特定される番組に対応付けて管理されている人名・キーワードが登録されることによって人名・キーワードリストが作成される。作成された人名・キーワードリストはECGサーバ３から録画装置１に送信され、人名・キーワードリスト管理部１２２により取得される。
【０１０３】
図１０は、人名・キーワードリスト管理部１２２により取得された人名・キーワードリストの例を示す図である。
【０１０４】
図１０の例においては、番組Ａ乃至Ｃが録画済みの番組とされており、キーワード１には番組Ａと番組Ｂが、キーワード２には番組Ｃが、人名１には番組Ａがそれぞれ対応付けられて登録されている。図１０は、番組Ａの人名・キーワードがキーワード１と人名１であり、番組Ｂの人名・キーワードがキーワード１であり、番組Ｃの人名・キーワードがキーワード２である場合の例を示している。
【０１０５】
図９の説明に戻り、ステップＳ４において、人名・キーワードリスト管理部１２２は、ステップＳ２において人名・キーワード取得部１２１により取得された人名・キーワードと、ステップＳ３において取得した人物・キーワードリストに基づいて、録画が完了した番組の人名・キーワードと同じ人名・キーワードが対応付けられて人名・キーワードリストに登録されている録画済みの番組があるか否かを判定する。
【０１０６】
録画が完了した番組の人名・キーワードと同じ人名・キーワードが対応付けられて人名・キーワードリストに登録されている録画済みの番組がないとステップＳ４において判定した場合、ステップＳ５において、人名・キーワードリスト管理部１２２は、録画が完了した番組の人名・キーワードを登録する欄を人名・キーワードリストに新たに作成し、作成した欄に、録画が完了した番組を登録する。
【０１０７】
図１１は、図１０のステップＳ５において更新された人名・キーワードリストの例を示す図である。
【０１０８】
人名・キーワードを人名２とする番組Ｄの録画が完了した場合、同じ人名２が対応付けられて人名・キーワードリストに登録されている録画済みの番組は図１０の人名・キーワードリストにはないから、図１１に示されるように、人名２の欄が新たに作成され、そこに、録画が完了した番組Ｄが登録される。
【０１０９】
一方、録画が完了した番組の人名・キーワードと同じ人名・キーワードが対応付けられて人名・キーワードリストに登録されている番組があるとステップＳ４において判定した場合、ステップＳ６において、人名・キーワードリスト管理部１２２は、既に作成済みの欄に、録画が完了した番組を登録する。
【０１１０】
図１２は、図１０のステップＳ６において更新された人名・キーワードリストの例を示す図である。
【０１１１】
人名・キーワードをキーワード２とする番組Ｄの録画が完了した場合、同じキーワード２が対応付けられて人名・キーワードリストに登録されている録画済みの番組として番組Ｃが図１０の人名・キーワードリストにあるから、図１２に示されるように、キーワード２の欄に、録画が完了した番組Ｄが登録される。
【０１１２】
ステップＳ５、またはステップＳ６において人名・キーワードリストが更新された後、処理は終了される。
【０１１３】
次に、図１３のフローチャートを参照して、人名・キーワード毎に録画済みの番組を分類し、分類に用いられた人名・キーワードをタイトルリストに表示する録画装置１の処理について説明する。
【０１１４】
この処理は、代表画などの録画済みの番組の情報が並べて表示される図２に示されるようなタイトルリストが表示されている状態においてビュー切り替えボタンが押されたときに開始される。
【０１１５】
ステップＳ１１において、表示制御部１２４は、ユーザにより行われたビュー切り替えボタンの操作を受け付ける。
【０１１６】
ステップＳ１２において、表示制御部１２４は、人名・キーワードリスト管理部１２２により管理されている人名・キーワードリストを記憶部１０９から読み出し、取得する。
【０１１７】
ステップＳ１３において、表示制御部１２４は、タイトルリストに表示する人名・キーワードの並び順についての設定がどのような設定になっているかを判定する。
【０１１８】
並び順として、例えば、５０音順、それぞれの人名・キーワードに対して設定されているユーザの嗜好値順、放送局の指定値順などの順番が用意されており、その中からいずれかの順番が設定される。順番の設定は、専用の画面においてユーザにより所定のタイミングで行われる。
【０１１９】
図１４は、人名・キーワードリストに登録されているそれぞれの人名・キーワードに対して設定されているユーザの嗜好値、放送局の指定値の例を示す図である。このようなユーザの嗜好値、放送局の指定値も、人名・キーワードリスト管理部１２２により管理される。
【０１２０】
図１４の例においては、キーワード１に対してはユーザの嗜好値として１０４の値が設定され、放送局の指定値として２０５の値が設定されている。また、キーワード２に対してはユーザの嗜好値として１２８の値が設定され、放送局の指定値として３６７の値が設定されている。人名１に対してはユーザの嗜好値として３５の値が設定され、放送局の指定値として９３の値が設定されている。
【０１２１】
例えば、ユーザの嗜好値は、対応付けて人名・キーワードリストに登録されている録画済みの番組の数が多い人名・キーワードほど、大きい値が設定される。また、録画済みの番組の視聴がユーザにより行われる毎に、その番組と対応付けて登録されている人名・キーワードの嗜好値が加算される。
【０１２２】
一方、放送局の指定値は、後に詳述するように、録画装置１からECGサーバ３に対して指定値の問い合わせが行われ、問い合わせに応じて送信されてきた情報に基づいて設定される。ECGサーバ３においては、全ての人名・キーワードに対して放送局の要求に応じた指定値が管理されており、それが録画装置１に通知される。
【０１２３】
このように、録画装置１において並べて表示される人名・キーワードの表示順をECGサーバ３側から指定することができるため、ユーザの目に付きやすい位置に所定の人名・キーワードを表示させるように、放送局が、ECGサーバ３を用いたサービスを提供する事業者から表示位置を買い取るといったビジネスモデルを実現することも可能となる。
【０１２４】
図１３の説明に戻り、人名・キーワードの並び順についての設定がユーザの嗜好値順であるとステップＳ１３において判定した場合、ステップＳ１４において、表示制御部１２４は、人名・キーワードリストに登録されている人名・キーワードを、ユーザの嗜好値の大きい順にソートする。
【０１２５】
また、人名・キーワードの並び順についての設定が５０音順であるとステップＳ１３において判定した場合、ステップＳ１５において、表示制御部１２４は、人名・キーワードリストに登録されている人名・キーワードを、５０音順にソートする。
【０１２６】
さらに、人名・キーワードの並び順についての設定が放送局の指定値順であるとステップＳ１３において判定した場合、ステップＳ１６において、表示制御部１２４は、人名・キーワードリストに登録されている人名・キーワードを、放送局の指定値の大きい順にソートする。
【０１２７】
ステップＳ１４、ステップＳ１５、またはステップＳ１６において人名・キーワードをソートした後、ステップＳ１７において、表示制御部１２４は、録画済みの番組の情報に替えて、ソートした順に、人名・キーワードを並べて表示させ、処理を終了させる。それぞれの人名・キーワードによって分類されている録画済みの番組の数なども表示され、タイトルリストの表示は図３に示されるような状態になる。
【０１２８】
以上の処理により、ユーザは、人名・キーワードを用いて録画済みの番組を分類させ、分類に用いられた人名・キーワードを表示させることができる。例えば、ユーザは、タレント名を人名として分類に用いさせることによって、同じタレントが出演している録画済みの番組毎に分類させることができるし、天気予報などのコーナー名をキーワードとして分類に用いさせることによって、同じコーナーを含む録画済みの番組毎に分類させることができる。
【０１２９】
また、ECGサーバ３側または放送局側において人の手によってキーワードの選別、重み付けができるため、ECGサーバ３から取得された人名・キーワードがタイトルリストに表示されるようにすることにより、録画装置１自身によってEPGデータから抽出されたキーワードが表示される場合とは異なり、人の目から見て意味のある分類が可能となる。
【０１３０】
次に、図１５のフローチャートを参照して、関連情報を表示する録画装置１の処理について説明する。
【０１３１】
この処理は、図１３の処理が行われ、タイトルリストに人名・キーワードが並べて表示されている状態でリモートコントローラのオプションボタンが１回だけ押されたときに開始される。
【０１３２】
ステップＳ２１において、表示制御部１２４は、ユーザにより行われたオプションボタンの操作を受け付け、画面の右端にオプションメニューＭを表示させることによってタイトルリストの表示を切り替える。タイトルリストの表示は図５に示されるような状態になる。
【０１３３】
オプションメニューＭに表示される項目の中から「関連情報」の項目にカーソルＣ3があてられ、決定ボタンが押されるなどして「関連情報」の項目が選択されたとき、ステップＳ２２において、関連情報取得部１２３はその操作を受け付ける。
【０１３４】
ステップＳ２３において、関連情報取得部１２３は、カーソルＣ1によって選択され、注目されている人名・キーワードの関連情報をECGサーバ３に問い合わせる。
【０１３５】
ECGサーバ３においては、録画装置１から送信されてきた問い合わせに含まれる人名・キーワードと対応付けて登録されている関連情報が抽出され、抽出された関連情報が所定の順番で登録された関連情報のリストが録画装置１に対して送信される。関連情報のリストには、それぞれの関連情報について、関連情報の種類を表す情報、関連情報を表す画像、関連情報の名前を表す文字が含まれる。
【０１３６】
ステップＳ２４において、関連情報取得部１２３は、ECGサーバ３から送信されてきた関連情報のリストを受信し、取得する。関連情報取得部１２３により取得された関連情報のリストは表示制御部１２４に出力される。
【０１３７】
ステップＳ２５において、表示制御部１２４は、関連情報の並び順についての設定がどのような設定になっているかを判定する。
【０１３８】
並び順として、例えば、ユーザの嗜好順、ECGサーバ３の指定順、時刻順などの他の順番が用意されており、その中からいずれかの順番が設定される。順番の設定は、専用の画面においてユーザにより所定のタイミングで行われる。
【０１３９】
関連情報の並び順についての設定がユーザの嗜好順であるとステップＳ２５において判定した場合、ステップＳ２６において、表示制御部１２４は、ECGサーバ３から送信されてきたリストに登録されている関連情報を、ユーザの嗜好順にソートする。例えば、ユーザによる設定に従って、Webサイト、ECサイト、静止画の順、あるいは、静止画、ECサイト、Webサイトの順といったように、種類に応じて順番がソートされる。
【０１４０】
また、関連情報の並び順についての設定が時刻順などの他の順番であるとステップＳ２５において判定した場合、ステップＳ２７において、表示制御部１２４は、ECGサーバ３から送信されてきたリストに登録されている関連情報を、その順番にソートする。
【０１４１】
関連情報の並び順についての設定が放送局の指定順であるとステップＳ２５において判定された場合、ステップＳ２６、ステップＳ２７の処理はスキップされる。
【０１４２】
ステップＳ２６、ステップＳ２７において関連情報をソートした後、ステップＳ２８において、表示制御部１２４は、ソートした順に、関連情報を並べて表示させる。
【０１４３】
また、関連情報の並び順についての設定が放送局の指定順であるとステップＳ２５において判定した場合、ステップＳ２８において、表示制御部１２４は、ECGサーバ３から送信されてきたリストに登録されている順番に、関連情報を並べて表示させる。タイトルリストの表示は図６に示されるような状態になる。関連情報が表示された後、処理は終了される。
【０１４４】
以上の処理により、ユーザは、人名・キーワードに基づいてECGサーバ３から取得された関連情報を表示させ、所定の関連情報を選択することによって、その内容を確認することができる。
【０１４５】
また、録画装置１自身がWeb上で検索を行うことによって得られた情報ではなく、ECGサーバ３が管理しているリンク情報などが関連情報として録画装置１において表示されるため、ECGサーバ３を用いたサービスを提供する事業者は関連情報の表示をコントロールすることが可能となる。放送局の要求などに応じて、どの関連情報を表示させるか、一覧のどの位置に表示させるかをECGサーバ３側からコントロールすることができることにより、関連情報の表示を要求する側が関連情報の表示位置を購入するなどの仕組みを展開することも可能となる。
【０１４６】
ここで、人名・キーワードの表示順を決定するときに参照される放送局の指定値の設定について説明する。
【０１４７】
図１６のフローチャートを参照して、放送局の指定値を設定するときに録画装置１とECGサーバ３の間で行われる処理について説明する。
【０１４８】
この処理は、録画の対象になっている番組の放送が終了したときに開始される。番組の放送が行われている間、受信部１０６により取得された番組のデータは入出力インタフェース１０５を介して記憶部１０９に供給され、記憶される。
【０１４９】
ステップＳ３１において、録画装置１の受信部１０６は、放送が終了することに応じて番組の録画を完了させる。
【０１５０】
ステップＳ３２において、人名・キーワード取得部１２１は、記憶部１０９に記憶されているEPGデータから抽出することによって、録画が完了した番組の人名・キーワードを取得する。例えば、EPGデータに含まれるテキストデータを対象として形態素解析が行われることによって人名・キーワードがEPGデータから抽出される。
【０１５１】
ステップＳ３３において、人名・キーワード取得部１２１は、通信部１１０を制御してECGサーバ３と通信を行い、人名・キーワードの重み付けを要求する。人名・キーワード取得部１２１から送信された要求には、取得された人名・キーワードが含まれている。
【０１５２】
人名・キーワードについては時期によって流行り廃りがあることから、ECGサーバ３から通知された重み付けの情報に基づいて、録画装置１において管理されている放送局の指定値が更新されるようになされている。重み付けの情報は、例えば放送局の要求に応じてECGサーバ３において管理される。
【０１５３】
ステップＳ４１において、ECGサーバ３は、録画装置１からの要求を受信する。
【０１５４】
ステップＳ４２において、ECGサーバ３は、録画装置１から送信されてきた要求に含まれる人名・キーワードの重み付けを行うときに用いられる重み付け情報を生成する。
【０１５５】
ステップＳ４３において、ECGサーバ３は、重み付け情報を録画装置１に送信する。
【０１５６】
ステップＳ３４において、録画装置１の人名・キーワード取得部１２１は、ECGサーバ３から送信されてきた重み付け情報を受信する。人名・キーワード取得部１２１により受信された重み付け情報は人名・キーワードリスト管理部１２２に出力される。
【０１５７】
ステップＳ３５において、人名・キーワードリスト管理部１２２は、人名・キーワード取得部１２１から供給された重み付け情報に基づいて、人名・キーワードリストに登録されている人名・キーワードについての放送局の指定値を追加、更新する。
【０１５８】
図１７、図１８は、放送局の指定値の追加、更新の例を示す図である。
【０１５９】
図１７に示される放送局の指定値は、図１４に示されるものと同じである。すなわち、キーワード１に対しては放送局の指定値として２０５の値が設定され、キーワード２に対しては放送局の指定値として３６７の値が設定されている。また、人名１に対しては放送局の指定値として９３の値が設定されている。ここでは、このような放送局の指定値を更新する場合について説明する。
【０１６０】
例えば、録画が完了した番組の人名・キーワードとして、キーワード２、人名２の２つの人名・キーワードがEPGデータから抽出された場合、録画装置１からECGサーバ３に対して、キーワード２、人名２の重み付けが要求される。録画装置１において管理されている人名・キーワードリストに登録されている全ての人名・キーワードであるキーワード１，２、人名１の情報もサーバ２に送信される。
【０１６１】
ECGサーバ３においては、キーワード２、人名２の重み付けに用いられる情報が生成され、生成された情報が録画装置１に対して送信される。例えば、キーワード２については、その指定値を２４５とすることを指示する情報が生成され、人名２については、その指定値を１００とすることを指示する情報が生成される。人名・キーワードリストに未登録の人名・キーワードである人名２については、デフォルトの値として１００の指定値が選択される。それぞれの人名・キーワードが人名・キーワードリストに登録されているか否かは、人名・キーワードとともに録画装置１から送信されてきた、人名・キーワードリストに登録されている全ての人名・キーワードの情報に基づいてECGサーバ３により判定される。
【０１６２】
ECGサーバ３から送信されてきた情報を受信した録画装置１においては、図１８に示されるように、キーワード２の指定値を２４５とするように放送局の指定値が更新されるとともに、人名２が新たに人名・キーワードリストに登録され、その放送局の指定値が１００として設定される。
【０１６３】
以上においては、番組の録画が完了したとき、録画が完了した番組の人名・キーワードが録画装置１によりEPGデータから取得され、その重み付けだけがECGサーバ３に対して要求されるものとしたが、録画が完了した番組の人名・キーワードの選択についてもECGサーバ３に対して要求されるようにしてもよい。
【０１６４】
次に、図１９のフローチャートを参照して、放送局の指定値を設定するときに録画装置１とECGサーバ３の間で行われる他の処理について説明する。
【０１６５】
ステップＳ５１において、録画装置１の受信部１０６は、放送が終了することに応じて番組の録画を完了させる。
【０１６６】
ステップＳ５２において、人名・キーワード取得部１２１は、ECGサーバ３に対して、録画が完了した番組の人名・キーワードを要求するとともに、その重み付けも要求する。例えば、人名・キーワード取得部１２１による要求には録画が完了した番組のIDも含まれている。
【０１６７】
ステップＳ６１において、ECGサーバ３は、録画装置１からの要求を受信する。
【０１６８】
ステップＳ６２において、ECGサーバ３は、録画装置１から送信されてきた要求に含まれるIDによって特定される番組に対応付けて管理している人名・キーワードの情報と、その重み付けに用いられる重み付け情報を生成する。
【０１６９】
ステップＳ６３において、ECGサーバ３は、人名・キーワードの情報と重み付け情報を録画装置１に送信する。
【０１７０】
ステップＳ５３において、録画装置１の人名・キーワード取得部１２１は、ECGサーバ３から送信されてきた人名・キーワードの情報と重み付け情報を受信する。人名・キーワード取得部１２１により受信された情報は人名・キーワードリスト管理部１２２に出力される。
【０１７１】
ステップＳ５４において、人名・キーワードリスト管理部１２２は、人名・キーワード取得部１２１から供給された人名・キーワードの情報に基づいて、人名・キーワードリストに未登録の人名・キーワードについては人名・キーワードリストに新規に登録するとともに、その新規に登録した人名・キーワードの放送局の指定値としてデフォルトの値を設定する。
【０１７２】
また、人名・キーワードリスト管理部１２２は、人名・キーワードリストに登録済みの人名・キーワードについては、ECGサーバ３から送信されてきた重み付け情報に基づいて放送局の指定値を更新する。
【０１７３】
例えば、図１７に示される人名・キーワードが録画装置１において管理されている状態において番組Ｄの録画が完了した場合、番組Ｄの人名・キーワードと、その重み付けが録画装置１からECGサーバ３に対して要求される。
【０１７４】
ECGサーバ３においては、番組Ｄと対応付けて登録されている人名・キーワードである例えばキーワード２、人名２が抽出されるとともに、キーワード２、人名２の重み付けに用いられる情報が生成される。キーワード２、人名２が番組Ｄの人名・キーワードであることを表す情報と、その重み付けの情報はECGサーバ３から録画装置１に対して送信され、図１８を参照して説明したようにして人名・キーワードの登録、放送局の指定値の更新が行われる。
【０１７５】
人名・キーワードの表示順が放送局の指定値順として設定されている場合、人名・キーワードリストに登録されている人名・キーワードが、以上のようにして設定、更新された指定値に従ってソートされ、表示される。
【０１７６】
以上においては、ビュー切り替えボタンが押されたとき、主に人名が並べて表示される場合について説明したが、録画済みの番組の分類に用いられたキーワードも同様にして並べて表示される。人名とキーワードが別々に表示されるようにしてもよいし、混在して表示されるようにしてもよい。
【０１７７】
また、録画装置１においては、人名とキーワードの両方が録画済みの番組と対応付けて管理されるものとしたが、人名だけと対応付けて管理されるようにしてもよいし、キーワードだけと対応付けて管理されるようにしてもよい。
【０１７８】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどにインストールされる。
【０１７９】
インストールされるプログラムは、例えば、図７に示されるリムーバブルメディア１１２に記憶して、あるいは、ローカルエリアネットワーク、インターネット、デジタル衛星放送といった、有線または無線の伝送媒体を介して提供される。プログラムは、ROM１０２や記憶部１０９に、あらかじめインストールしておくことができる。
【０１８０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１８１】
本発明の実施の形態は、上述した実施の形態に限定されるものではなく、本発明の要旨を逸脱しない範囲において種々の変更が可能である。
【図面の簡単な説明】
【０１８２】
【図１】本発明の一実施形態に係る録画装置を含む通信システムの構成例を示す図である。
【図２】メニュー画面の例を示す図である。
【図３】タイトルリストの表示例を示す図である
【図４】タイトルリストの表示例を示す他の図である。
【図５】タイトルリストの表示例を示すさらに他の図である。
【図６】タイトルリストの表示例を示す図である。
【図７】録画装置のハードウエア構成例を示すブロック図である。
【図８】録画装置の機能構成例を示すブロック図である。
【図９】録画装置の人名・キーワードリスト管理処理について説明するフローチャートである。
【図１０】人名・キーワードリストの例を示す図である。
【図１１】図１０のステップＳ５において更新された人名・キーワードリストの例を示す図である。
【図１２】図１０のステップＳ６において更新された人名・キーワードリストの例を示す図である。
【図１３】録画装置の人名・キーワード表示処理について説明するフローチャートである。
【図１４】ユーザの嗜好値、放送局の指定値の例を示す図である
【図１５】録画装置の関連情報表示処理について説明するフローチャートである。
【図１６】録画装置とECGサーバの間で行われる処理について説明するフローチャートである。
【図１７】放送局の指定値の追加、更新の例を示す図である。
【図１８】放送局の指定値の追加、更新の例を示す他の図である。
【図１９】録画装置とECGサーバの間で行われる他の処理について説明するフローチャートである。
【符号の説明】
【０１８３】
１  録画装置，  ２  テレビジョン受像機，  ３  ECGサーバ，  ４  ネットワーク，  １２１  人名・キーワード取得部，  １２２  人名・キーワードリスト管理部，  １２３  関連情報取得部，  １２４  表示制御部
【図１】
2009059134.tif 000003
【図２】
2009059134.tif 000004
【図３】
2009059134.tif 000005
【図４】
2009059134.tif 000006
【図５】
2009059134.tif 000007
【図６】
2009059134.tif 000008
【図７】
2009059134.tif 000009
【図８】
2009059134.tif 000010
【図９】
2009059134.tif 000011
【図１０】
2009059134.tif 000012
【図１１】
2009059134.tif 000013
【図１２】
2009059134.tif 000014
【図１３】
2009059134.tif 000015
【図１４】
2009059134.tif 000016
【図１５】
2009059134.tif 000017
【図１６】
2009059134.tif 000018
【図１７】
2009059134.tif 000019
【図１８】
2009059134.tif 000020
【図１９】
2009059134.tif 000021